(57)【要約】      （修正有）【課題】インバータとこのインバータに接続された電源接続コネクタとを具備する充電システムに関して、電源の種類に応じて充電システムの構成を変更可能にする。【解決手段】この充電システムは電源接続コネクタ４０に電源が接続されたときに電源からインバータ２０を介してバッテリ１０に電力を充電する。電源接続コネクタに三相交流電源が接続されたときにはインバータを三相ベクトルＰＦＣ制御することによって三相交流電源からバッテリに電力が充電される。一方、電源接続コネクタに単相交流電源が接続されたときにはインバータを単相インターリーブＰＦＣ制御することによって単相交流電源からバッテリに電力が充電される。【選択図】図４
2013150371.tif 000002
【特許請求の範囲】
【請求項１】
インバータと、該インバータに接続された電源接続コネクタと、を具備し、前記電源接続コネクタに電源が接続されたときに該電源からインバータを介してバッテリに電力を充電する充電システムにおいて、前記電源接続コネクタに三相交流電源が接続されたときには前記インバータを三相ベクトルＰＦＣ制御することによって前記三相交流電源からバッテリに電力を充電し、前記電源接続コネクタに単相交流電源が接続されたときには前記インバータを単相インターリーブＰＦＣ制御することによって前記単相交流電源からバッテリに電力を充電する充電システム。
【請求項２】
請求項１に記載の充電システムと、バッテリから電動機に電力を供給するために用いられるインバータと、を具備する充放電システム。
【請求項３】
請求項１に記載の充電システムにおいて、電源からバッテリに電力を充電するために用いられる前記インバータが複数の素子部を有し、これら素子部を周期的にスイッチングさせるように前記単相インターリーブＰＦＣ制御が実行される充電システム。
【請求項４】
請求項２に記載の充放電システムにおいて、電源からバッテリに電力を充電するために用いられる前記インバータが複数の素子部を有し、これら素子部を周期的にスイッチングさせるように前記単相インターリーブＰＦＣ制御が実行される充放電システム。
【請求項５】
電源のコネクタである電源コネクタが接続される電源接続ネクタを具備し、前記電源接続コネクタに前記電源コネクタが接続されたときに前記電源コネクタと前記電源接続コネクタとを介して電源からバッテリに電力を充電する充電システムにおいて、前記電源接続コネクタにＦＧ信号線とＧＮＤ線とが設けられ、これらＦＧ信号線とＧＮＤ線とを配線するための端子が前記電源コネクタに設けられており、前記電源コネクタが前記電源受容コネクタに接続されたときに前記ＦＧ信号線と前記ＧＮＤ線との間の電位差に基づいて前記電源の種類を認識する充電システム。
【発明の詳細な説明】
【技術分野】
【０００１】
本発明は、充電システムに関する。
【背景技術】
【０００２】
インバータと、このインバータに接続された電源接続コネクタと、を具備し、電源接続コネクタに電源が接続されたときに電源からインバータを介してバッテリに電力を充電する充電システムが特許文献１に記載されている。
【先行技術文献】
【特許文献】
【０００３】
【特許文献１】特開平６−１７８４０７号公報
【特許文献２】特開２０１０−１０４２２７号公報
【特許文献３】特開２００７−１９５２８２号公報
【特許文献４】特開２００９−９５１５７号公報
【発明の概要】
【発明が解決しようとする課題】
【０００４】
ところで、上記充電システムの電源接続コネクタに単相交流電源が接続されても三相交流電源が接続されても、１つのインバータによって各電源からバッテリに電力を充電可能であることには利益がある。しかしながら、特許文献１には、単相交流電源からバッテリに電力を充電するための充電システムと、三相交流電源からバッテリに電力を充電するための充電システムと、がそれぞれ記載されている。つまり、特許文献１に記載の技術では、電源の種類に応じて充電システムの構成を変更する必要がある。
【０００５】
そこで、本発明の目的は、１つのインバータによって種類の異なる電源からバッテリに電力を充電することができる充電システムを提供することにある。
【課題を解決するための手段】
【０００６】
本願の発明は、インバータと、該インバータに接続された電源接続コネクタと、を具備する充電システムに関する。そして、この充電システムは、前記電源接続コネクタに電源が接続されたときに該電源からインバータを介してバッテリに電力を充電する。ここで、本発明では、前記電源接続コネクタに三相交流電源が接続されたときには前記インバータを三相ベクトルＰＦＣ制御することによって前記三相交流電源からバッテリに電力が充電される。一方、前記電源接続コネクタに単相交流電源が接続されたときには前記インバータを単相インターリーブＰＦＣ制御することによって前記単相交流電源からバッテリに電力が充電される。
【０００７】
本発明によれば、一種類のインバータによって種類の異なる電源（すなわち、三相交流電源および単相交流電源）からバッテリに電力を充電することができるという効果が得られる。また、本発明によれば、単相交流電源からバッテリに電力を充電するときに、単相インターリーブＰＦＣ制御が用いられることから、インバータでのリプル電流の発生を抑制することができ、あるいは、インバータで発生するリプル電流を小さくすることができるという効果も得られる。
【０００８】
また、本願の別の発明は、充放電システムに関する。本発明の充放電システムは、上記発明の充電システムと、バッテリから電動機に電力を供給するために用いられるインバータと、を具備する。
【０００９】
この場合、電源からバッテリに電力を充電するための専用のインバータ（すなわち、充電用インバータ）と、バッテリから電動機に電力を供給するための専用のインバータ（すなわち、給電用インバータ）と、を充放電システムが備えているため、仮に、充電用インバータが故障したとしても、給電用インバータが故障していなければ、バッテリから電動機に電力を供給することができるという効果が得られる。
【００１０】
また、上記発明において、電源からバッテリに電力を充電するために用いられる前記インバータが複数の素子部を有し、これら素子部を周期的にスイッチングさせるように前記単相インターリーブＰＦＣ制御が実行されるようにしてもよい。
【００１１】
この場合、スイッチング動作が各素子部に分散されることから、各素子部における発熱を抑制し、あるいは、各素子部における発熱量を少なくすることができるという効果が得られる。
【００１２】
また、本願のさらに別の発明は、電源のコネクタである電源コネクタが接続される電源接続ネクタを具備する充電システムに関する。この充電システムは、前記電源接続コネクタに前記電源コネクタが接続されたときに前記電源コネクタと前記電源接続コネクタとを介して電源からバッテリに電力を充電する。ここで、本発明では、前記電源接続コネクタにＦＧ信号線とＧＮＤ線とが設けられ、これらＦＧ信号線とＧＮＤ線とを配線するための端子が前記電源コネクタに設けられており、前記電源コネクタが前記電源受容コネクタに接続されたときに前記ＦＧ信号線と前記ＧＮＤ線との間の電位差に基づいて前記電源の種類が認識される。
【００１３】
本発明によれば、非常に簡易な構成によって電源接続コネクタに接続された電源の種類を認識することができるという効果が得られる。
【図面の簡単な説明】
【００１４】
【図１】第１実施形態の充電システムを示した図である。
【図２】第２実施形態の充電システムを示した図である。
【図３】第２実施形態の充電システムの電源接続コネクタに接続可能な電源コネクタを示した図である。
【図４】第２実施形態の充電の様子を示した図である。
【図５】第２実施形態の充電の様子を示した図である。
【図６】本発明の充電システムの実施形態の１つを示した図である。
【図７】図６に示されている充電システムの電源接続コネクタに接続可能な電源コネクタを示した図である。
【図８】第３実施形態の充放電システムを示した図である。
【図９】第４実施形態の充放電システムを示した図である。
【発明を実施するための形態】
【００１５】
次に、本発明の実施形態について説明する。本発明の１つの実施形態（以下「第１実施形態」）の充電システムが図１（Ａ）に示されている。図１（Ａ）において、１０はバッテリ、２０はインバータ、３０は制御回路、４０は電源接続コネクタをそれぞれ示している。バッテリ１０は、インバータ２０に接続されている。インバータ２０は、バッテリ１０および制御回路３０に接続されている。制御回路３０は、インバータ２０および電源接続コネクタ４０に接続されている。電源接続コネクタ４０は、制御回路３０に接続されている。バッテリ１０は、そこに供給された電力を蓄電可能であるととともに、蓄電している電力を放電可能である。インバータ２０は、そこに供給された交流電力を直流電力に変換する機能を有する。制御回路３０は、インバータ２０を三相ベクトルＰＦＣ制御可能であるとともに、インバータ２０を単相インターリーブＰＦＣ制御可能である。なお、第１実施形態の充電システムは、主に、インバータ２０と制御回路３０と電源接続コネクタ４０とから構成される。
【００１６】
次に、第１実施形態の充電システムの動作について説明する。第１実施形態では、バッテリ１０に電力を充電しようとするときには、図１（Ｂ）に示されているように、電源接続コネクタ４０に電源コネクタ５０が接続される。なお、電源コネクタ５０は、ケーブル６０を介して電源７０に接続されている。ここで、電源７０が三相交流電源である場合、制御回路３０は、インバータ２０を三相ベクトルＰＦＣ制御する。これにより、三相交流電源７０からインバータ２０に供給される三相交流電力がインバータ２０によって直流電力に変換され、この直流電力がバッテリ１０に充電される。一方、電源７０が単相交流電源である場合、制御回路３０は、インバータ２０を単相インターリーブＰＦＣ制御する。これにより、単相交流電源７０からインバータ２０に供給される単相交流電力がインバータ２０によって直流電力に変換され、この直流電力がバッテリ１０に充電される。
【００１７】
第１実施形態によれば、１つのインバータによって種類の異なる電源（すなわち、三相交流電源および単相交流電源）からバッテリに電力を充電することができるという効果が得られる。また、第１実施形態によれば、単相交流電源からバッテリに電力を充電するときに、単相インターリーブＰＦＣ制御が用いられることから、インバータでのリプル電流の発生を抑制することができ、あるいは、インバータで発生するリプル電流を小さくすることができるという効果も得られる。また、これによれば、昇圧リアクトルの相互インダクタンス値を最大限に利用することができるので、昇圧リアクトルを小型化することができる。
【００１８】
なお、第１実施形態によれば、１つのインバータを最大限に利用することによって、高力率で且つ高効率で通常充電、または、倍速充電、または、急速充電を行うことができる。さらに、１つのインバータで三相交流電源と単相交流電源とからバッテリに電力を充電することができるので、充電システムのコストが抑えられる。
【００１９】
次に、第１実施形態の充電システムとして採用可能な充電システムについて説明する。この充電システムが図２に示されている。なお、以下では、図２に示されている実施形態を第２実施形態と称する。また、以下で説明されない第２実施形態の構成および制御は、それぞれ、第１実施形態の構成および制御と同じであるか、あるいは、以下で説明される第２実施形態の構成および制御に鑑みたときに第１実施形態の構成および制御から当然に導き出される構成および制御である。
【００２０】
図２において、１０はバッテリ、２０はインバータ、３０は制御回路、４０は電源接続コネクタ、５０は電源コネクタをそれぞれ示している。また、図２において、１１は昇降圧リアクトル、３１ＡはＰＦＣ昇圧リアクトル、３１Ｂは入力リアクトル、３２は入力電流センサ、３３は入力電圧センサ、３４は電磁開閉器、３５はＣＴセンサ、３６はＧＮＤ線（グランド線）、３７はＦＧ信号線（フレームグランド信号線）、３８は整流電源および入力電圧検出回路、３９は制御部、５１は端子、ＩＧＢＴは絶縁ゲートバイポーラトランジスタ、Ｄはダイオードをそれぞれ示している。
【００２１】
第１実施形態と同様に、バッテリ１０はインバータ２０に接続され、インバータ２０はバッテリ１０および制御回路３０に接続され、制御回路３０はインバータ２０および電源接続コネクタ４０に接続され、電源接続コネクタ４０は制御回路３０に接続されている。第２実施形態のバッテリ１０、インバータ２０、および、制御回路３０は、それぞれ、第１実施形態のバッテリ、インバータ、および、制御回路の機能と同じ機能を有する。
【００２２】
インバータ２０の素子は、３つの素子部２２Ａ〜２２Ｃにグルーピングされている。図２に示されているように、各素子部２２Ａ〜２２Ｃは、それぞれ、１つの絶縁ゲートバイポーラトランジスタＩＧＢＴと１つのダイオードＤとからなる２つの回路から構成されている。
【００２３】
ＰＦＣ昇圧リアクトル３１Ａの三相入力リアクトルの各相巻き線は、互いに磁気結合されている。入力リアクトル３１Ｂの各相巻き線も、互いに磁気結合されている。
【００２４】
なお、図２に示されている電源コネクタ５０は、２００Ｖの三相交流電源に接続された電源コネクタであり、図２に示されている充電システムの電源接続コネクタに接続可能な電源コネクタとしては、図３に示されている電源コネクタを採用可能である。なお、図３（Ａ）に示されている電源コネクタは、４００Ｖの三相交流電源に接続された電源コネクタであり、図３（Ｂ）に示されている電源コネクタは、２００Ｖの単相交流電源に接続された電源コネクタであり、図３（Ｃ）に示されている電源コネクタは、１００Ｖの単相交流電源用に接続された電源コネクタである。そして、これら電源コネクタは、それぞれが接続されている電源の種類に応じた構成を備えた端子５１を有する。
【００２５】
次に、第２実施形態の充電システムの動作について説明する。第２実施形態では、バッテリ１０に電力を充電しようとするときには、図２に示されているように、電源接続コネクタ４０に電源コネクタ５０が接続される。ここで、電源コネクタ５０は、ケーブルを介して三相交流電源に接続されている。そこで、制御回路３０は、インバータ２０を三相ベクトルＰＦＣ制御する。これにより、三相交流電源からバッテリに電力が充電される。
【００２６】
一方、バッテリ１０に電力を充電しようとしたときに、図４に示されているように、単相交流電源に接続された電源コネクタ５０が電源接続コネクタ４０に接続された場合、制御回路３０は、インバータ２０を単相インターリーブ制御する。より具体的には、三相交流のＵ相に対応するラインに単相交流電源から入力された電力が３つの素子部のうちの２つの素子部２２Ｂ、２２Ｃのみを通る電力経路（図４に矢印で示されている電力経路であり、以下この電力経路を「第１電力経路」という）と、三相交流のＷ相に対応するラインに単相交流電源から入力された電力が３つの素子部のうちの２つの素子部２２Ａ、２２Ｂ（これら素子部のうちの１つは、第１電力経路を構成する２つの素子部の一方と同じ素子部であり、これら素子部のうちの別の１つは、第１電力経路を構成する２つの素子部のいずれとも異なる素子部である）のみを通る電力経路（図５に矢印で示されている電力経路であり、以下この電力経路を「第２電力経路」という）と、を電力が周期的に交互に通るように、制御回路３０は、電磁開閉器３４のスイッチング動作を制御することによってインバータ２０を単相インターリーブ制御する。すなわち、第２実施形態では、インバータ２０の複数の素子部を周期的にスイッチングさせるように単相インターリーブＰＦＣ制御が実行される。これにより、単相交流電源からバッテリに電力が充電される。
【００２７】
これによれば、第１実施形態と同様に、１つのインバータによって種類の異なる電源からバッテリに電力を充電することができるという効果が得られるとともに、単相交流電源からバッテリに電力を充電するときに、インバータでのリプル電流の発生を抑制することができ、あるいは、インバータで発生するリプル電流を小さくすることができるという効果も得られる。
【００２８】
また、単相インターリーブＰＦＣ制御が行われるとき、スイッチング動作が各素子部に分散されることから、各素子部（特に、各絶縁ゲートバイポーラトランジスタＩＧＢＴ）における発熱を抑制し、あるいは、各素子部における発熱量を少なくすることができるという効果が得られる。この場合、充電システムの信頼性が向上される。
【００２９】
次に、第２実施形態の電源認識について説明する。上述したように、各電源コネクタ５０には、それが接続されている電源の種類に応じた構成を備えた端子５１が設けられている。この端子５１は、電源コネクタ５０が電源接続コネクタ４０に接続されたときに、電源接続コネクタ４０に設けられたＦＧ信号線３７とＧＮＤ線３６とを配線する。ここで、これらＦＧ信号線３７とＧＮＤ線３６とが端子５１によって配線されたときのこれらＦＧ信号線とＧＮＤ線との間の電位差は、入力電圧検出回路を含む整流電源３８に接続された信号線３８Ａおよび信号線３８Ｂにて検出され、その電位差は端子５１の構成（すなわち、同端子５１を備えた電源コネクタ５０が接続されている電源の種類）に応じて異なるようになっている。したがって、第２実施形態では、電源コネクタ５０が電源接続コネクタ５１に接続され、端子によってＦＧ信号線３７とＧＮＤ線３６とが配線されたときのＦＧ信号線３７とＧＮＤ線３６との間の電位差に基づいて、充電システムに接続されている電源の種類が認識される。
【００３０】
なお、第２実施形態では、電源からバッテリ１０に電力を充電することができるように、斯くして認識された電源の種類に応じてインバータ２０を三相ベクトルＰＦＣ制御するのか単相インターリーブＰＦＣ制御するのかが決定される。また、第２実施形態では、上述したように、電源の種類を認識することができるとともに、電源の電圧範囲をも認識することができる。また、第２実施形態では、ＣＴセンサのバイアス電流値に基づいてＧＮＤ線の断線の有無を検出することもできる。また、電磁開閉器をオン状態にしたときに当該電磁開閉器に対応する入力電流センサによって検出される電流値に基づいて、漏れ電流値を検出することができる。また、入力電圧センサによって検出されるＡ／Ｄ値および位相に基づいて、上述したように認識された電源の種類が正しいか否かを確認するようにしてもよい。また、単相交流電源が充電システムに接続されていると認識されたときに、充電システムに入力される電圧値に対応する最大入力電力を制限したうえで、インバータを単相インターリーブＰＦＣ制御することによって通常充電または倍速充電を行うようにしてもよい。同様に、三相交流電源が充電システムに接続されていると認識されたときにも、充電システムに入力される電圧値に対応する最大入力電力を制限したうえで、インバータを三相ベクトルＰＦＣ制御することによって急速充電を行うようにしてもよい。
【００３１】
第２実施形態によれば、非常に簡易な構成（すなわち、電源コネクタに設けられた端子、および、電源接続コネクタに設けられたＦＧ信号線およびＧＮＤ線）によって電源接続コネクタに接続された電源の種類を認識することができるという効果が得られる。
【００３２】
なお、第１実施形態の充電システムとして、図６に示されている充電システムも採用可能である。図６に示されている充電システムは、第１実施形態においてインバータ２０とバッテリ１０との間に配置されている回路が省略されている点でのみ第１実施形態の充電システムとは異なる。
【００３３】
なお、図６に示されている電源コネクタ５０は、２００Ｖ（１００Ｖ〜２００Ｖ）の三相交流電源に接続された電源コネクタであり、図６に示されている充電システムの電源接続コネクタに接続可能な電源コネクタとしては、図７に示されている電源コネクタを採用可能である。なお、図７（Ａ）に示されている電源コネクタは、２００Ｖの単相交流電源に接続された電源コネクタであり、図７（Ｂ）に示されている電源コネクタは、１００Ｖの単相交流電源に接続された電源コネクタである。そして、これら電源コネクタは、それぞれが接続されている電源の種類に応じた構成を備えた端子５１を有する。
【００３４】
なお、第１実施形態の充電システムとして、図６に示されている充電システムが採用された場合も、第２実施形態と同様に充電システムを動作させることによって電源からバッテリに電力を充電可能であり、第２実施形態と同様にして電源の種類を認識可能である。また、この場合も、第１実施形態の効果および第２実施形態の効果と同様な効果が得られる。
【００３５】
また、第２実施形態において、専用ケーブルとディジタル複数演算方法とによって充電システムに接続される電源の特性を検出し、これによって、充電システムの信頼性を高めるようにしてもよい。
【００３６】
次に、第１実施形態の充電システムを具備する充放電システムについて説明する。この充放電システムが図８に示されている。なお、以下では、図８に示されている実施形態を第３実施形態と称する。また、以下で説明されない第３実施形態の構成および制御は、それぞれ、上述した実施形態の構成および制御と同じであるか、あるいは、以下で説明される第３実施形態の構成および制御に鑑みたときに上述した実施形態の構成および制御から当然に導き出される構成および制御である。
【００３７】
図８において、２１はインバータ、８０は電動機をそれぞれ示している。電動機８０は、三相交流型の電動機である。図８において、その他の参照符号は、それぞれ、図１に示されている同じ参照符号が示す構成要素と同じ構成要素を示している。
【００３８】
次に、第３実施形態の充放電システムの動作について説明する。第３実施形態では、バッテリ１０に電力を充電しようとするときには、第１実施形態と同様に、図８（Ｂ）に示されているように、電源接続コネクタ４０に電源コネクタ５０が接続される。ここで、電源コネクタ５０に接続されている電源が三相交流電源である場合、制御回路３０は、第１実施形態と同様に、インバータ２０を三相ベクトルＰＦＣ制御する。これにより、三相交流電源からバッテリ１０に電力が充電される。一方、電源コネクタ５０に接続されている電源が単相交流電源である場合、制御回路３０は、第１実施形態と同様に、インバータ２０を単相インターリーブＰＦＣ制御する。これにより、単相交流電源からバッテリ１０に電力が充電される。
【００３９】
また、第３実施形態では、バッテリ１０から電動機８０に電力を供給しようとするときには、バッテリ１０の電力は、インバータ２１によって交流電力に変換され、電動機８０に供給される。
【００４０】
第３実施形態によれば、第１実施形態と同様に、１つのインバータによって種類の異なる電源からバッテリに電力を充電することができるという効果が得られるとともに、単相交流電源からバッテリに電力を充電するときに、インバータでのリプル電流の発生を抑制することができ、あるいは、インバータで発生するリプル電流を小さくすることができるという効果も得られる。
【００４１】
また、第２実施形態と同様に、単相インターリーブＰＦＣ制御が行われるとき、スイッチング動作が各素子部に分散されることから、各素子部（特に、各絶縁ゲートバイポーラトランジスタＩＧＢＴ）における発熱を抑制し、あるいは、各素子部における発熱量を少なくすることができるという効果が得られる。この場合、充電システムの信頼性が向上される。
【００４２】
さらに、第３実施形態によれば、以下の効果が得られる。すなわち、第３実施形態では、電源からバッテリに電力を充電するための専用の充電用インバータ（すなわち、インバータ２０）と、バッテリから電動機に電力を供給するための専用の給電用インバータ（すなわち、インバータ２１）と、を充放電システムが備えているため、仮に、充電用インバータが故障したとしても、給電用インバータが故障していない限り、バッテリから電動機に電力を供給することができるという効果が得られる。そして、たとえば、電動機が車両に搭載されており、当該車両の駆動力を電動機から得るようになっている場合、充電用インバータの故障によって車両が走行不能となる事態が発生することを回避することができるという効果が得られる。
【００４３】
次に、第３実施形態の充放電システムとして採用可能な充放電システムについて説明する。この充放電システムが図９に示されている。なお、以下では、図９に示されている実施形態を第４実施形態と称する。また、以下で説明されない第４実施形態の構成および制御は、それぞれ、第３実施形態の構成および制御と同じであるか、あるいは、以下で説明される第４実施形態の構成および制御に鑑みたときに第３実施形態の構成および制御から当然に導き出される構成および制御である。
【００４４】
図９において、２１はインバータ、８０は電動機をそれぞれ示している。電動機８０は、三相交流型の電動機である。図９において、その他の参照符号は、それぞれ、図２に示されている同じ参照符号が示す構成要素と同じ構成要素を示している。
【００４５】
また、図９に示されている電源コネクタ５０は、２００Ｖの三相交流電源に接続された電源コネクタであり、図９に示されている充放電システムの電源接続コネクタに接続可能な電源コネクタとしては、図３に示されている電源コネクタを採用可能である。
【００４６】
次に、第４実施形態の充放電システムの動作について説明する。第４実施形態では、バッテリ１０に電力を充電しようとするときには、図９に示されているように、電源接続コネクタ４０に電源コネクタ５０が接続される。ここで、電源コネクタ５０は、ケーブルを介して三相交流電源に接続されている。そこで、制御回路３０は、インバータ２０を三相ベクトルＰＦＣ制御する。これにより、三相交流電源からバッテリに電力が充電される。
【００４７】
一方、バッテリ１０に電力を充電しようとしたときに、単相交流電源に接続された電源コネクタ５０が電源接続コネクタ４０に接続された場合、制御回路３０は、第２実施形態と同様に、インバータ２０を単相インターリーブ制御する。これにより、単相交流電源からバッテリに電力が充電される。
【００４８】
また、第３実施形態では、バッテリ１０から電動機８０に電力を供給しようとするときには、バッテリ１０の電力は、インバータ２１によって交流電力に変換され、電動機８０に供給される。
【００４９】
これによれば、第１実施形態と同様に、１つのインバータによって種類の異なる電源からバッテリに電力を充電することができるという効果が得られるとともに、単相交流電源からバッテリに電力を充電するときに、インバータでのリプル電流の発生を抑制することができ、あるいは、インバータで発生するリプル電流を小さくすることができるという効果も得られる。さらに、第３実施形態と同様に、仮に、充電用インバータが故障したとしても、給電用インバータが故障していない限り、バッテリから電動機に電力を供給することができるという効果が得られるとともに、たとえば、電動機が車両に搭載されており、当該車両の駆動力を電動機から得るようになっている場合、充電用インバータの故障によって車両が走行不能となる事態が発生することを回避することができるという効果が得られる。
【００５０】
次に、第４実施形態の電源認識について説明する。第２実施形態と同様に、各電源コネクタ５０には、それが接続されている電源の種類に応じた構成を備えた端子５１が設けられている。したがって、第４実施形態では、電源コネクタ５０が電源接続コネクタ５１に接続され、端子によってＦＧ信号線３７とＧＮＤ線３６とが配線されたときのＦＧ信号線３７とＧＮＤ線３６との間の電位差に基づいて、充電システムに接続されている電源の種類が認識される。
【００５１】
これによれば、第２実施形態と同様に、非常に簡易な構成（すなわち、電源コネクタに設けられた端子、および、電源接続コネクタに設けられたＦＧ信号線およびＧＮＤ線）によって電源接続コネクタに接続された電源の種類を認識することができるという効果が得られる。
【００５２】
なお、第４実施形態では、たとえば、充電用のインバータ２０または給電用のインバータ２１をイネーブル制御することによって、電源からバッテリに電力を供給するモードとバッテリから電動機に電力を供給するモードとが切替られる。
【００５３】
また、第４実施形態の充放電システムの充電システムとして、図６に示されている充電システムも採用可能である。
【００５４】
なお、第４実施形態の充放電システムの充電システムとして、図６に示されている充電システムが採用された場合も、第４実施形態と同様に充放電システムを動作させることによって電源からバッテリに電力を充電可能であり、第４実施形態と同様にして電源の種類を認識可能である。また、この場合も、第３実施形態の効果および第４実施形態の効果と同様な効果が得られる。
【符号の説明】
【００５５】
１０…バッテリ、２０、２１…インバータ、２２Ａ〜２２Ｃ…素子部、３０…制御回路、３４…電磁開閉器、４０…電源接続コネクタ、５０…電源コネクタ、５１…端子、６０…ケーブル、７０…電源
【図１】
2013150371.tif 000003
【図２】
2013150371.tif 000004
【図３】
2013150371.tif 000005
【図４】
2013150371.tif 000006
【図５】
2013150371.tif 000007
【図６】
2013150371.tif 000008
【図７】
2013150371.tif 000009
【図８】
2013150371.tif 000010
【図９】
2013150371.tif 000011